(57)【要約】【課題】  簡単な作業で少ない作業時間と労力により、しかも、汎用性に富んだ長尺部材を用いて、地絡防止対策を施すことが可能な送電鉄塔用絶縁部材及び送電鉄塔を提供する。【解決手段】  予め用意した断面Ｌ字型アングル状の絶縁部材１１をアーム３に取り付けることで、送電線７のショート事故を防止するための地絡防止対策を施し、簡単な作業で少ない作業時間と労力により、しかも、汎用性に富んだ絶縁部材１１を用いて、地絡防止対策を施すことが可能な送電鉄塔とする。【選択図】        図２
2006012683.tif 000002
【特許請求の範囲】
【請求項１】
塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなる部材であり、前記アームに取り付けられることを特徴とする送電鉄塔用絶縁部材。
【請求項２】
塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなる長尺部材であり、前記アームに取り付けられることを特徴とする送電鉄塔用絶縁部材。
【請求項３】
塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなると共に断面Ｌ字型アングル状の長尺部材であり、前記アームに取り付けられることを特徴とする送電鉄塔用絶縁部材。
【請求項４】
請求項３に記載の送電鉄塔用絶縁部材において、アングル状の２辺の高さのうち、取り付ける鉄塔の金具より少なくとも１辺が高いことを特徴とする送電鉄塔用絶縁部材。
【請求項５】
請求項３もしくは請求項４のいずれか一項に記載の送電鉄塔用絶縁部材において、一方のアングル面にＬ字型の隅部からの距離が異なる少なくとも二種類の取付孔が設けられていることを特徴とする送電鉄塔用絶縁部材。
【請求項６】
塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなると共に断面が放射状態に形成された長尺部材であり、前記アームに取り付けられることを特徴とする送電鉄塔用絶縁部材。
【請求項７】
塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなると共に断面が筒状の長尺部材であり、前記アームに取り付けられることを特徴とする送電鉄塔用絶縁部材。
【請求項８】
請求項１乃至請求項７のいずれか一項に記載の送電鉄塔用絶縁部材において、絶縁シートを固めて構成されていることを特徴とする送電鉄塔用絶縁部材。
【請求項９】
請求項１乃至請求項７のいずれか一項に記載の送電鉄塔用絶縁部材において、射出成形もしくは押出成形で成形されることを特徴とする送電鉄塔用絶縁部材。
【請求項１０】
請求項１乃至請求項９のいずれか一項に記載の送電鉄塔用絶縁部材において、光硬化性樹脂で成形されることを特徴とする送電鉄塔用絶縁部材。
【請求項１１】
塔柱にアームが設けられ、該アームに碍子連結金具を介して碍子が取り付けられ、碍子の端部に送電線保持金具を介して送電線が保持される送電鉄塔において、
請求項１乃至請求項１０のいずれか一項に記載の送電鉄塔用絶縁部材を、前記アームに取り付けたことを特徴とする送電鉄塔。
【発明の詳細な説明】
【技術分野】
【０００１】
本発明は、送電線と鉄柱側とのアーム等との地絡を簡単で短時間の作業により防止できるようにした送電鉄塔用絶縁部材及び送電鉄塔に関する。
【背景技術】
【０００２】
発電所で作られた電気は変電所等を経て高電圧で送電線によって供給され、送電線を支持する鉄塔（送電鉄塔）が各所に設置されている。送電線塔柱にはアームが設けられ、アームには碍子連結金具を介して碍子が取り付けられ、碍子の端部に送電線保持金具を介して送電線が保持されている。
【０００３】
このように、送電鉄塔には複数の碍子が配置され、碍子の周囲には送電線や鉄骨等鳥の飛来場所が多く存在している。このため、鳥が銜えてくる針金等の巣材が送電線に接触することで送電線とアーム等が地絡して、送電線のショート事故、即ち、停電事故が発生してしまう虞がある。このような停電事故は多大な経済損失を招くことになり、鳥等の飛来物による送電線のショート事故の防止は重要な課題となっている。
【０００４】
このような送電線のショート事故を防止するため（地絡防止対策）、送電鉄塔のアームに絶縁性の塗料を塗布したり絶縁シートを貼り付けたりすることが提案されている（例えば、特許文献１参照）。アームに絶縁性の塗料を塗布したり絶縁シートを貼り付けたりすることで、電線との間で鳥が銜えてくる針金等の巣材が接触しても送電線とアームが地絡することがなくなり、鳥等の飛来物による送電線のショート事故を防止することができる。
【０００５】
しかしながら、従来の地絡防止対策では、絶縁性の塗料を塗布したり絶縁シートを貼り付けたりする作業が必要で、作業員の技術力を要していた。また、塗料やシートの乾燥には数時間が必要で、乾燥するまでは他の作業が行えず、多くの作業時間を必要としていた。このため、多数の送電鉄塔に地絡防止対策を施すためには複雑な作業で多大な作業時間と多くの労力を必要としているのが現状であった。
【０００６】
【特許文献１】特開平６−３２５６４９号公報
【発明の開示】
【発明が解決しようとする課題】
【０００７】
本発明は上記状況に鑑みてなされたもので、簡単な作業で少ない作業時間と労力により地絡防止対策を施すことができる送電鉄塔用絶縁部材及び送電鉄塔を提供することを目的とする。
【課題を解決するための手段】
【０００８】
上記課題を解決する本発明の第１の態様は、塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなる部材であり、前記アームに取り付けられることを特徴とする送電鉄塔用絶縁部材にある。
【０００９】
かかる第１の態様では、予め用意した絶縁部材をアームに取り付けることで、送電線のショート事故を防止するための地絡防止対策を施すことができ、簡単な作業で少ない作業時間と労力により、地絡防止対策を施すことが可能な送電鉄塔となる。
【００１０】
本発明の第２の態様は、塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなる長尺部材であり、前記アームに取り付けられることを特徴とする送電鉄塔用絶縁部材にある。
【００１１】
かかる第２の態様では、予め用意した長尺の絶縁部材をアームに取り付けることで、送電線のショート事故を防止するための地絡防止対策をアームの長手方向に沿って施すことができ、簡単な作業で少ない作業時間と労力により、地絡防止対策を施すことが可能な送電鉄塔となる。
【００１２】
本発明の第３の態様は、塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなると共に断面Ｌ字型アングル状の長尺部材であり、前記アームに取り付けられることを特徴とする送電鉄塔用絶縁部材にある。
【００１３】
かかる第３の態様では、予め用意した絶縁部材をアームに取り付けることで、送電線のショート事故を防止するための地絡防止対策を施すことができる。この場合、断面Ｌ字型であるので、アームが雨受け又は雨除けの何れに配置されていても、何れの場合にも一つの種類で安定した状態で取り付けることができ、この結果、簡単な作業で少ない作業時間と労力により、地絡防止対策を施すことが可能な送電鉄塔となる。
【００１４】
本発明の第４の態様は、第３の態様に記載の送電鉄塔用絶縁部材において、アングル状の２辺の高さのうち、取り付ける鉄塔の金具より少なくとも１辺が高いことを特徴とする送電鉄塔用絶縁部材にある。
【００１５】
かかる第４の態様では、鉄塔の金具を覆う状態で予め用意した絶縁部材を取り付けることで、地絡防止対策を確実に施すことができる。
【００１６】
本発明の第５の態様は、第３の態様もしくは第４の態様のいずれかに記載の送電鉄塔用絶縁部材において、一方のアングル面にＬ字型の隅部からの距離が異なる少なくとも二種類の取付孔が設けられていることを特徴とする送電鉄塔用絶縁部材にある。
【００１７】
かかる第５の態様では、アームが雨受け又は雨除けの何れの場合にも、二種類の取付孔の何れかを選択することにより、容易に取り付けることができる。
【００１８】
本発明の第６の態様は、塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなると共に断面が放射状態に形成された長尺部材であり、前記アームに取り付けられることを特徴とする送電鉄塔用絶縁部材にある。
【００１９】
かかる第６の態様では、予め用意した絶縁部材をアームに取り付けることで、送電線のショート事故を防止するための地絡防止対策を施すことができる。この場合、断面が放射状態に形成された長尺部材であるので、アームの形状や配置に拘らず任意の向きに合わせて一つの種類で安定した状態で取り付けることができ、この結果、簡単な作業で少ない作業時間と労力により、地絡防止対策を施すことが可能な送電鉄塔となる。
【００２０】
本発明の第７の態様は、塔柱にアームが設けられ、該アームに碍子連結金具を介して碍子が取り付けられ、碍子の端部に送電線保持金具を介して送電線が保持される送電鉄塔に設けられる送電鉄塔用絶縁部材において、絶縁性材料からなると共に断面が筒状の長尺部材であり、前記アームに取り付けられることを特徴とする送電鉄塔用絶縁部材にある。
【００２１】
かかる第７の態様では、予め用意した絶縁部材をアームに取り付けることで、送電線のショート事故を防止するための地絡防止対策を施すことができる。この場合、筒状、例えば、円筒状の長尺部材であるので、アームを覆う状態で取り付けることができ、この結果、簡単な作業で少ない作業時間と労力により、地絡防止対策を施すことが可能な送電鉄塔となる。
【００２２】
本発明の第８の態様は、第１の態様乃至第７の態様のいずれかに記載の送電鉄塔用絶縁部材において、絶縁シートを固めて構成されていることを特徴とする送電鉄塔用絶縁部材にある。
【００２３】
かかる第８の態様では、既存の絶縁シートを用いて絶縁部材を構成することができる。
【００２４】
本発明の第９の態様は、第１の態様乃至第７の態様のいずれかに記載の送電鉄塔用絶縁部材において、射出成形もしくは押出成形で成形されることを特徴とする送電鉄塔用絶縁部材にある。
【００２５】
かかる第９の態様では、射出成形もしくは押出成形により絶縁部材を作製することができる。
【００２６】
本発明の第１０の態様は、第１の態様乃至第９の態様のいずれかに記載の送電鉄塔用絶縁部材において、光硬化性樹脂で成形されることを特徴とする送電鉄塔用絶縁部材にある。
【００２７】
かかる第１０の態様では、光硬化性樹脂で絶縁部材を構成することができる。
【００２８】
本発明の第１１の態様は、塔柱にアームが設けられ、該アームに碍子連結金具を介して碍子が取り付けられ、碍子の端部に送電線保持金具を介して送電線が保持される送電鉄塔において、第１の態様乃至第１０の態様のいずれかに記載の送電鉄塔用絶縁部材を、前記アームに取り付けたことを特徴とする送電鉄塔にある。
【００２９】
かかる第１１の態様では、簡単な作業で少ない作業時間と労力により、地絡防止対策が施された送電鉄塔となる。
【発明の効果】
【００３０】
本発明の送電鉄塔用絶縁部材を用いれば、簡単な作業で少ない作業時間と労力により、地絡防止対策を施すことが可能であり、比較的容易に地絡防止対策を施した送電鉄塔を提供できる。
【発明を実施するための最良の形態】
【００３１】
図１には本発明の一実施形態に係る送電鉄塔の全体状況、図２には図１中の要部拡大状況、図３には図２中のIII-III線断面、図４には絶縁部材の斜視状況、図５には別箇所に絶縁部材を取り付けた状態の断面、図６には他の態様に係る絶縁部材の斜視状況を示してある。
【００３２】
図１、図２に示すように、送電鉄塔１は、例えば、断面Ｌ字型アングル状のアングル材からなる鉄柱２に上下方向に所定の間隔をおいて水平方向に、例えば、断面Ｌ字型アングル状のアングル材からなるアーム３が設けられている。アーム３には碍子連結金具４を介して碍子５が取り付けられ、碍子５の下端部に送電線保持金具６を介して送電線７が吊り下げ保持されている。
【００３３】
図２に示すように、アーム３の適宜箇所には絶縁性材料からなる長尺部材である絶縁部材１１が取り付けられている。絶縁部材１１は絶縁性材料で構成されて予め準備され、取付バンド１２でアーム３に取り付けられている。
【００３４】
絶縁部材１１は、例えば、絶縁性樹脂や、絶縁性プラスチックにより構成され、射出成形もしくは押し出し成形により作製することができる。
【００３５】
アーム３に絶縁性材料の絶縁部材１１を取り付けたことにより、鳥が銜えてくる針金等の巣材が送電線７に接触しても、針金等が直接アーム３に接触することが防止され、送電線７とアーム３等が地絡することがない。そして、予め用意した絶縁部材１１をアーム３に取り付けることで、送電線７の地絡防止対策を施すことができる。
【００３６】
図３、図４に示すように、絶縁部材１１の形状は断面Ｌ字型アングル状となっており、アーム３の断面形状に沿った形状で形成されている。絶縁部材１１を構成する二つのアングル面の隅部からの寸法（突出長さ）は、アーム３の幅より大きい寸法となっており、また、本実施形態では、一方のアングル面（図３中縦方向の面）を他方より大きくしてある。つまり、アングル状の２辺の高さのうち、取り付ける鉄塔の金具よりも少なくとも１辺が高くなっている。本実施形態では、この大きいアングル面が鉛直方向になるように配置する。これにより、雨受けに配置されたアーム３に取り付けた場合にも、絶縁部材１１が上部まで突出し、地絡事故が確実に防止される。
【００３７】
また、本実施形態では、大きいアングル面に、取付バンド１２を挿入するための取付孔１３ａ、１３ｂが、隅部からの距離が異なる位置に設けられている。すなわち、図３中の取付孔１３ａの上方（アングル面の端部側）には第２取付孔１３ｂが設けられている。
【００３８】
尚、絶縁部材１１の形状である断面Ｌ字型アングル状は、Ｌ字型の角度が９０度もしくは略９０度のものは勿論、例えば、７０度から１１０度の角度のＬ字型のものも適用可能である。また、二つのアングル面の寸法は、アーム３の幅より大きい寸法であれば、同一でもよい。
【００３９】
図３に示すように、アーム３が雨よけのために下向きに配置されている場合、絶縁部材１１を上向きに設置する。即ち、アーム３の一方のアングル面が下向きに配置されている場合、絶縁部材１１の取付孔１３ａ及び第２取付孔１３ｂが設けられているアングル面を上向きに設置する。取付孔１３ａに取付バンド１２を通し、絶縁部材１１とアーム３とを締結する。
【００４０】
取付バンド１２としては、ステンレスバンドを用いることが可能であるが、絶縁性のもの、例えば、絶縁性プラスチック材料などからなるバンドを用いるのが好ましい。また、ステンレス製や樹脂製のワイヤー形状のものを用いてもよい。
【００４１】
絶縁部材１１を形成する絶縁性材料としては、絶縁性ポリマー、例えば、絶縁性ゴム、絶縁性エラストマー、あるいは絶縁性プラスチック等を適用することができる。また、絶縁性の低いプラスチックや他の素材の表面に絶縁性ゴム、絶縁性エラストマー、絶縁性プラスチックを被せたものを適用することも可能である。
【００４２】
また、既存の絶縁シート等を固めて作製することも可能である。例えば、光硬化樹脂である、紫外線硬化飽和ポリエステル樹脂をガラス繊維で強化したプリプレグシート状のものを透明フィルムで覆った絶縁シートを用い、絶縁シートを固めて断面Ｌ字型アングル状の絶縁部材１１とすることが可能である。
【００４３】
図５に示すように、アーム３が雨受けのため上向きに配置されている場合、絶縁部材１１を上向きに設置する。即ち、アーム３の一方のアングル面が上向きに配置されている場合、アーム３の形状に沿わせて絶縁部材１１を上向きに配置する。このとき、取付孔１３ａがアーム３の一方のアングル面と重なって使用できないが、第２取付孔１３ｂに取付バンド１２を通し、絶縁部材１１の他方のアングル面及びアーム３を締結する。
【００４４】
絶縁部材１１を断面Ｌ字型アングル状とし、一方のアングル面（図３中縦方向の面）に取付孔１３ａ及び第２取付孔１３ｂを設けたので、アーム３の状況（形状）に応じて向きを設定して配置することができ、１種類の絶縁部材１１で雨よけのアーム３及び雨受けのアーム３に対して安定して設置することができる。
【００４５】
図６に示すように、取付孔１３ａ及び第２取付孔１３ｂに代えて、絶縁部材１１のアングル面の端部に切欠１５を設け、又は後加工して取付バンド１２の支持部とすることも可能である。なお、切欠１５は、両方のアングル面に設けてもよく、また、長手方向に３箇所以上設けてもよい。また、絶縁部材１１に磁石を取り付け、磁力によりアーム３に取り付けることも可能である。
【００４６】
以上説明したように、予め用意された絶縁部材１１をアーム３に取り付けて送電線のショート事故を防止するための地絡防止対策を施すことにより、簡単な作業で少ない作業時間と労力により、地絡防止対策を施すことが可能な送電鉄塔１となる。
【００４７】
そして、断面Ｌ字型アングル状の絶縁部材１１を用いることで、アーム３の形状に応じて向きを設定して配置することができ、一つの種類の絶縁部材１１で複数の場所（例えば、雨よけの場所、雨受けの場所）に安定して取り付けることができ、簡単な作業で少ない作業時間と労力により、しかも、汎用性に富んだ絶縁部材１１を用いて、地絡防止対策を施すことが可能な送電鉄塔１となる。
【００４８】
なお、絶縁部材１１の長さは特に限定されず、一番汎用性の高い長さとすればよく、また、長さの切断を容易にできる絶縁材料を用いれば、一種類の絶縁部材で容易且つ確実に地絡防止対策を行うことができる。
【００４９】
図７及び図８に基づいて他の態様を説明する。
【００５０】
図７、図８には他の態様に係る絶縁部材をアームに取り付けた状態の断面を示してある。
【００５１】
図７、図８に示すように、絶縁部材２１は、４つのアングル面２１ａ，２１ｂ，２１ｃ，２１ｄが断面放射状態に形成されて構成されている。各アングル面２１ａ，２１ｂ，２１ｃ，２１ｄの交差角は任意であり、等角度でも、図示のように、鋭角と鈍角の組み合わせでもよい。図７に示した状態は、アングル面２１ａがアーム３のアングル面に固定された状態であり、図８に示した状態は、アングル面２１ｂがアーム３のアングル面に固定された状態である。絶縁部材２１は、取付バンド１２（図３、図５参照）を用いてアーム３に取り付けたり、磁力によりアーム３に取り付けることが可能である。
【００５２】
アングル面の取り付け面を選択することにより、アーム３に対して絶縁部材２１の４つのアングル面２１ａ，２１ｂ，２１ｃ，２１ｄの配置状態を任意に選択することができる。これにより、周囲の設置部材等によりアングル面２１ａ，２１ｂ，２１ｃ，２１ｄが邪魔にならない状態で絶縁部材２１を取り付けたり、鳥の飛来方向に多くのアングル面２１ａ，２１ｂ，２１ｃ，２１ｄが配される状態に取り付けたりすることができる。
【００５３】
なお、アングル面の数は４つに限定されず、３つまたは５つ以上であってもよい。
【００５４】
図７、図８に示した絶縁部材２１を用いることで、アーム３の形状や周囲の設置部材の状況等に応じて所望の向きを設定して配置することができ、一つの種類の絶縁部材２１で複数の場所に安定して取り付けることができ、簡単な作業で少ない作業時間と労力により、しかも、汎用性に富んだ絶縁部材２１を用いて、地絡防止対策を施すことが可能な送電鉄塔１となる。
【００５５】
図９及び図１０に基づいて更に他の態様を説明する。
【００５６】
図９には円筒状の絶縁部材の斜視状況、図１０には図９に示した絶縁部材をアームに取り付けた状態の断面を示してある。
【００５７】
図９に示すように、絶縁部材３１は長尺の円筒状に形成され、筒面には軸方向にスリット３２が形成されている。図１０に示すように、スリット３２をアーム３の一方のアングル面に嵌合することで、絶縁部材３１はアーム３を覆う状態で取り付けられる。絶縁部材３１をアーム３に取り付ける際には、スリット３２の部位を開いてアーム３に嵌めることができる。また、アーム３の端部から所望位置まで軸方向に挿入することができる。
【００５８】
長尺の円筒状の絶縁部材３１を用いることで、アーム３を覆う状態で絶縁部材を取り付けることが可能になり、地絡防止対策がより確実になる。また、取付バンド１２（図３、図５参照）等の固定部材を用いることなくアーム３に絶縁部材３１を取り付けることが可能である。このため、簡単な作業で少ない作業時間と労力により、しかも、アーム３を覆うことができる絶縁部材３１を用いて、確実な地絡防止対策を施すことが可能な送電鉄塔１となる。
【００５９】
なお、スリット３２が形成されていない円筒状の絶縁部材を用い、アーム３の端部から挿入して取付バンド１２（図３、図５参照）等の固定部材を用いて取り付けることも可能である。また、絶縁部材３１としては円筒状に限定されず、断面四角、断面三角、断面多角等、任意の断面形状の筒状であればよい。
【産業上の利用可能性】
【００６０】
本発明は、送電線と鉄柱側とのアーム等との地絡を簡単で短時間の作業により防止できるようにした送電鉄塔の産業分野で利用することができる。
【図面の簡単な説明】
【００６１】
【図１】本発明の一実施形態例に係る送電鉄塔の全体状況を示した図である。
【図２】図１中の要部拡大図である。
【図３】図２中のIII-III線断面図である。
【図４】絶縁部材の斜視図である。
【図５】別箇所に絶縁部材を取り付けた状態の断面図である。
【図６】他の態様に係る絶縁部材の斜視図である。
【図７】他の態様に係る絶縁部材をアームに取り付けた状態の断面図である。
【図８】他の態様に係る絶縁部材をアームに取り付けた状態の断面図である。
【図９】円筒状の絶縁部材の斜視図である。
【図１０】図９に示した絶縁部材をアームに取り付けた状態の断面図である。
【符号の説明】
【００６２】
１  送電鉄塔
２  鉄柱
３  アーム
４  碍子連結金具
５  碍子
６  送電線保持金具
７  送電線
１１，２１，３１  絶縁部材
１２  取付バンド
１５  切欠
２１ａ，２１ｂ，２１ｃ，２１ｄ  アングル面
３２  スリット
【図１】
2006012683.tif 000003
【図２】
2006012683.tif 000004
【図３】
2006012683.tif 000005
【図４】
2006012683.tif 000006
【図５】
2006012683.tif 000007
【図６】
2006012683.tif 000008
【図７】
2006012683.tif 000009
【図８】
2006012683.tif 000010
【図９】
2006012683.tif 000011
【図１０】
2006012683.tif 000012